(57)【特許請求の範囲】
【請求項１】
廃棄物をキューブ状にプレスして排出する廃棄物プレス手段と、
排出された廃棄物キューブを防水被覆材で梱包する梱包手段とを備え、
前記廃棄物プレス手段が、
廃棄物を投入する投入口を上壁に備えたプレス室と、
このプレス室に投入された廃棄物をプレス室の一側壁をその対向壁面に向けて押圧することによりプレスするプレス手段と、
前記プレス手段の対向側壁をプレス手段の押圧に対抗することができ、プレスされた廃棄物キューブの対向する一対の側面をプレス手段と共に挟持したまま前記プレス室外へ排出するプレス挟持手段とを備え、
前記梱包手段が、
廃棄物キューブの防水被覆材での梱包の前に、プレス手段とプレス挟持手段とで挟持されている状態の廃棄物キューブに紐懸けを行う第１紐懸け手段と、
前記第１紐懸け手段により紐懸けされた廃棄物キューブをプレス手段とプレス挟持手段との挟持方向に直交する方向に押出す押出手段と、
押出手段によって押し出される廃棄物キューブに前記紐懸けと交叉する紐懸けを行う第２紐懸け手段とを備え、
前記第２紐懸け手段が、
前記押出手段によって押出される廃棄物キューブの押出方向に入口開口を設けて配置された廃棄物キューブ保持枠を備え、
前記押出手段によって、前記押出方向にクロスし尚且第１紐懸け手段で懸けられた第１の紐にクロスするように準備された第２の紐を捲込ながら廃棄物キューブ保持枠に押出された廃棄物キューブに紐懸けを行い、
前記プレス手段を構成する一側壁に付設された、プレス手段の押圧に伴って投入口の開口部を遮蔽しつつ廃棄物をプレスするプレス室の上壁に沿った開口部遮蔽板と、
前記開口部遮蔽板による遮蔽時にも投入され続ける廃棄物の投入口の上部を覆うように配置され、投入口に向けて下広がりに設けられたダクトとを備えたことを特徴とする廃棄物プレス装置。
【請求項２】
請求項１に記載された廃棄物プレス装置において、
前記梱包手段が、排出された廃棄物キューブを防水シートで包装する包装手段を備えたことを特徴とする廃棄物プレス装置。
【請求項３】
請求項１に記載された廃棄物プレス装置において、
前記梱包手段が、防水被覆材で梱包された廃棄物キューブに紐懸けを行う紐懸け手段を更に備えたことを特徴とする廃棄物プレス装置。
【請求項４】
請求項１に記載された廃棄物プレス装置において、
前記プレス手段によって対向壁面側にプレスされた廃棄物を前記プレス手段の押圧方向に直交する側壁面の一部をその対向壁面に向けて押圧することによりプレスして廃棄物キューブとして排出する別のプレス手段を備えたことを特徴とする廃棄物プレス装置。
【請求項５】
請求項１に記載された廃棄物プレス装置において、
前記プレス室を構成する壁面の一部に廃棄物から浸出する水分を室外に導出する穿設孔を備えたことを特徴とする廃棄物プレス装置。
【発明の詳細な説明】
【０００１】
【発明の属する技術分野】
本発明は、焼却場から排出される焼却灰、焼却できないゴミ等の廃棄物処理場で埋め立てられる廃棄物をプレスする廃棄物プレス装置に関するものである。
【０００２】
【従来の技術】
焼却場から排出される焼却灰、焼却できないゴミ等の廃棄物は、所謂シュレッダーダクトのように細かく粉砕されるなどして廃棄物処理場で埋め立てられる。この廃棄物処理場は、廃棄物による土中の汚染等の問題から、安定型廃棄物処理場から管理型廃棄物処理場に移りつつある。
【０００３】
【発明が解決しようとする課題】
しかしながら、埋め立てた廃棄物を長期にわたって管理しようとする管理型廃棄物処理場では、管理費用を含めた廃棄費用が高くなり、国内では未だ管理型の廃棄物処理場が少ないのが現状である。従って、廃棄物による土中の汚染を防止し、如何にして廃棄費用を低減させるかが最大の課題となっている。
【０００４】
そこで、本発明は、限られた廃棄物処理場のスペースを有効に利用し、しかも廃棄物による土中の汚染を防止することのできる廃棄物プレス装置を得ることを目的とする。また、このプレス装置によって得られたプレスされた廃棄物が時間経過による膨張が少ないものを得ることのできる廃棄物プレス装置を得ることを目的とする。
【０００５】
【課題を解決するための手段】
本請求項１に記載された発明に係る廃棄物プレス装置では、廃棄物をキューブ状にプレスして排出する廃棄物プレス手段と、
排出された廃棄物キューブを防水被覆材で梱包する梱包手段とを備え、
前記廃棄物プレス手段が、
廃棄物を投入する投入口を上壁に備えたプレス室と、
このプレス室に投入された廃棄物をプレス室の一側壁をその対向壁面に向けて押圧することによりプレスするプレス手段と、
前記プレス手段の対向側壁をプレス手段の押圧に対抗することができ、プレスされた廃棄物キューブの対向する一対の側面をプレス手段と共に挟持したまま前記プレス室外へ排出するプレス挟持手段とを備え、
前記梱包手段が、
廃棄物キューブの防水被覆材での梱包の前に、プレス手段とプレス挟持手段とで挟持されている状態の廃棄物キューブに紐懸けを行う第１紐懸け手段と、
前記第１紐懸け手段により紐懸けされた廃棄物キューブをプレス手段とプレス挟持手段との挟持方向に直交する方向に押出す押出手段と、
押出手段によって押し出される廃棄物キューブに前記紐懸けと交叉する紐懸けを行う第２紐懸け手段とを備え、
前記第２紐懸け手段が、
前記押出手段によって押出される廃棄物キューブの押出方向に入口開口を設けて配置された廃棄物キューブ保持枠を備え、
前記押出手段によって、前記押出方向にクロスし尚且第１紐懸け手段で懸けられた第１の紐にクロスするように準備された第２の紐を捲込ながら廃棄物キューブ保持枠に押出された廃棄物キューブに紐懸けを行い、
前記プレス手段を構成する一側壁に付設された、プレス手段の押圧に伴って投入口の開口部を遮蔽しつつ廃棄物をプレスするプレス室の上壁に沿った開口部遮蔽板と、
前記開口部遮蔽板による遮蔽時にも投入され続ける廃棄物の投入口の上部を覆うように配置され、投入口に向けて下広がりに設けられたダクトとを備えたものである。
【０００６】
本請求項２に記載された発明に係る廃棄物プレス装置では、請求項１に記載された廃棄物プレス装置において、
前記梱包手段が、排出された廃棄物キューブを防水シートで包装する包装手段を備えたものである。
【０００７】
本請求項３に記載された発明に係る廃棄物プレス装置では、請求項１に記載された廃棄物プレス装置において、
前記梱包手段が、防水被覆材で梱包された廃棄物キューブに紐懸けを行う紐懸け手段を更に備えたものである。
【００１０】
本請求項４に記載された発明に係る廃棄物プレス装置では、請求項１に記載された廃棄物プレス装置において、
前記プレス手段によって対向壁面側にプレスされた廃棄物を前記プレス手段の押圧方向に直交する側壁面の一部をその対向壁面に向けて押圧することによりプレスして廃棄物キューブとして排出する別のプレス手段を備えたものである。
【００１５】
本請求項５に記載された発明に係る廃棄物プレス装置では、請求項１に記載された廃棄物プレス装置において、
前記プレス室を構成する壁面の一部に廃棄物から浸出する水分を室外に導出する穿設孔を備えたものである。
【００１６】
【発明の実施の形態】
本発明においては、廃棄物をキューブ状にプレスして排出する廃棄物プレス手段と、排出された廃棄物キューブを防水被覆材で梱包する梱包手段とを備えたものであるため、廃棄物を直方体又は立方体のキューブ状に押し固め、整列させて廃棄物処理場内に納めることができ、限られた廃棄物処理場のスペースを有効に利用することができる。しかも、廃棄物はしっかりと押し固められているため、長期に亙って体積の目減りが少なく、廃棄物処理場を埋立地として建造物を建てた場合にも地盤の沈下等の問題も少ない。また、梱包手段により廃棄物キューブを防水被覆材で梱包することにより、廃棄物による土中の汚染を防止することができる。
【００１７】
廃棄物キューブは、廃棄物プレス手段によって機械的に押し固められたままのものでもよいが、廃棄物の種類及び材質によっては、セメント等の結着剤を混入させたり、加熱溶融する薬剤を混入して押し固めた後に焼結させたりして、化学的に更に強固に固めてもよい。廃棄物は、例えば焼却場から排出される焼却灰や焼却できないゴミ等をそのまま又はシュレッダーで細かく砕いて投入される。
【００１８】
また、廃棄物キューブを防水被覆材で梱包する梱包手段としては、例えば、廃棄物キューブの外形に合致した箱を用意してこの箱の内部に廃棄物キューブを入れたり、廃棄物キューブが入る袋に入れたり、溶融させた高分子液に浸して防水被膜を形成させたりしても良いが、得られた廃棄物キューブを防水シートで包装する包装手段を用いるのが、最も簡便で安価に行える。防水シートで包まれた廃棄物キューブは、重ね合わせ部に接着剤や加熱シール等を施して、防水性を向上させてもよいし、後で詳説する紐懸け手段で紐懸けされてもよい。
【００１９】
防水被覆材で梱包された廃棄物キューブは、紐懸け手段によって紐懸けを行うことにより、梱包又は包装を確実に行うことができる。また更に、この紐懸けはプレスされた廃棄物キューブの膨張を妨げることができる。これらの包装手段や紐懸け手段等は、流通業界で用いられている装置を応用して用いることができる。
【００２０】
従って、梱包又は包装を確実に行うことと、プレスされた廃棄物キューブの膨張を妨げることとの両方の目的のために、紐懸けは防水被覆材で梱包された廃棄物キューブに対して行うことができる。これだけでなく、プレスされた廃棄物キューブの膨張を妨げることのために、防水被覆材で梱包される前の廃棄物キューブに対しても行うことができる。即ち、廃棄物の種類によっては、プレス手段から排出された直後から膨張するものがあり、防水被覆材による梱包の最中に膨張して梱包作業を困難にする場合がある。従って、このような廃棄物キューブにおいては、プレス手段から排出される最中又は直後から紐懸けを行ってもよい。
【００２１】
ところで、廃棄物プレス手段としては、廃棄物を押圧して廃棄物を直方体又は立方体のキューブ状に押し固めるものであればよい。具体的な廃棄物プレス手段としては、廃棄物を投入する投入口を上壁に備えたプレス室と、このプレス室に投入された廃棄物をプレス室の一側壁をその対向壁面に向けて押圧することによりプレスするプレス手段とを備えたものが上げられる。これにより、例えば細かく粉砕された廃棄物は、良好に直方体又は立方体のキューブ状に押し固められて排出される。
【００２２】
尚、プレス手段は、一つだけでなく複数連続して配置して、より小さくプレスすることも可能である。例えば、プレス手段によって対向壁面側にプレスされた廃棄物を前記プレス手段の押圧方向に直交する側壁面の一部をその対向壁面に向けて押圧することによりプレスして廃棄物キューブとして排出する別のプレス手段を備えたものが上げられる。
【００２３】
また、前述のようなプレス手段から排出された直後から膨張する廃棄物をプレスする場合には、プレス手段から排出される最中又は直後から紐懸けを行う。例えば、廃棄物プレス手段が、廃棄物を投入する投入口を上壁に備えたプレス室と、このプレス室に投入された廃棄物をプレス室の一側壁をその対向壁面に向けて押圧することによりプレスするプレス手段と、前記プレス手段の対向側壁をプレス手段の押圧に対抗することができ尚且プレスされた廃棄物キューブの対向する一対の側面をプレス手段と共に挟持したまま前記プレス室外へ排出するプレス挟持手段とを備え、後続のプレス手段とプレス挟持手段とで挟持されている状態の廃棄物キューブに紐懸けを行う第１紐懸け手段を備えた梱包手段によって、廃棄物キューブの排出の最中又は直後に紐懸けを行う。
【００２４】
この場合の梱包手段に、更に、前記第１紐懸け手段により紐懸けされた廃棄物キューブをプレス手段とプレス挟持手段との挟持方向に直交する方向に押出す押出手段と、押出手段によって押し出される廃棄物キューブに前記紐懸けと交叉する紐懸けを行う第２紐懸け手段とを配備して、紐懸けを確実なものとしてもよい。
【００２５】
また、この場合の第２紐懸け手段としては、例えば、前記押出手段によって押出される廃棄物キューブの押出方向に入口開口を設けて配置された廃棄物キューブ保持枠を備えたものが上げられる。この押出手段によって、前記押出方向にクロスし尚且第１紐懸け手段で懸けられた第１の紐にクロスするように準備された第２の紐を捲込ながら廃棄物キューブ保持枠に押出された廃棄物キューブに紐懸けを行うことにより、紐懸けを更に確実なものとする。
【００２６】
また、好ましい廃棄物プレス手段としては、廃棄物を投入する投入口の上部を覆うように配置され、投入口に向けて下広がりに設けられたダクトと、プレス手段を構成する一側壁に付設されたプレス手段の押圧に伴い投入口の開口部を遮蔽しつつ廃棄物をプレスするプレス室の上壁に沿った開口部遮蔽板とを備えたものが上げられる。即ち、廃棄物をプレスしつつ投入口の開口部を遮蔽することができ、良好な廃棄物キューブに押し固めることができる。
【００２７】
また、遮蔽板による遮蔽時にもダクト内には廃棄物が投入され続け、プレス手段が定常位置に戻った際には、遮蔽板上に溜まった廃棄物がプレス室内に一度に投入されることとなり、連続的なプレス操作が可能となる。尚、この場合に、ダクトが投入口に向けて下広がりに設けられているため、遮蔽板上に溜まった廃棄物がブリッジを形成して投入口上部に詰まることを防止する。
【００２８】
更に、好ましい廃棄物プレス手段としては、プレス室を構成する壁面の一部に廃棄物から浸出する水分を室外に導出する穿設孔を備えたものでは、廃棄物のプレス時に廃棄物から浸出される水分が良好に廃棄物キューブから排出されるため、得られた廃棄物キューブは水分含量が少ないものとなる。尚、穿設孔は、プレス室内であれば如何なる位置に穿設されても良いが、水分の排出から考慮されると、プレス手段によって押圧される対向壁に近い下壁部分又は対向壁の下方に複数穿設されるのが好ましい。
【００２９】
次に本発明を、具体的な実施の形態を示しながら、詳細に説明する。
図１は本発明の廃棄物プレス装置の一実施の形態の例の構成図である。図に示す通り、本廃棄物プレス装置(1) では、ベルトコンベア(2) で運ばれる細かく粉砕された廃棄物(3) を廃棄物プレス手段(4) で押し固めて廃棄物キューブ(5) とし、これを防水シート(6) で梱包する梱包手段(7) で紐懸け包装した包装廃棄物キューブ(8) を作成する。
【００３０】
図２は本廃棄物プレス装置の廃棄物プレス手段の構成を示す説明図であり、ａ図は側面の構成を示す説明図、ｂ図は平面の構成を示す説明図である。図に示す通り、本廃棄物プレス装置を構成するこの廃棄物プレス手段(4a)は、細かく粉砕された粉砕廃棄物(3) を投入する投入口(21)と、これを覆うダクト(22)と、投入口(21)の下方に備わった矩形のプレス室(23)とからなる。
【００３１】
プレス室(23)は四方を側壁で囲まれ、その第１側壁(24)には第１油圧装置(25)のラム(26)が連結されており、この油圧駆動により、第１側壁(24)はプレス室(23)内方向に押圧されて第１プレス手段（プレス手段）として働く。この第１プレス手段のピストンとなる第１側壁(24)は、プレス室(23)の上壁に沿った開口部遮蔽板(27)と下壁に沿った摺動板(28)とが備わって、断面コ字状を呈している。この開口部遮蔽板(27)は、第１油圧装置(25)の駆動に伴って室内方向に移動する際に投入口(21)の開口部を遮蔽する。
【００３２】
また、第１側壁(24)に直交する側壁(29)の一部には、第２油圧装置(30)のラム(31)が連結され、油圧駆動により、プレス室(23)内方向に押圧される第２側壁(32)が備わって、これが第２プレス手段（別のプレス手段）となる。また、この第２プレス手段の対向する側壁の対向位置には、排出扉(34)で覆われた廃棄物キューブ排出口(33)が配置されている。
【００３３】
このプレス室(23)を構成する壁面のうち、特に第１プレス手段によって押圧される対向壁に近い下壁部分に穿設孔(35)が複数穿設されている。これは、廃棄物に水分が含まれている場合に、第１プレス手段及び第２プレス手段によって浸出するため、これをプレス室(23)外に導出するためのものである。
【００３４】
プレス室(23)内に投入された粉砕廃棄物(3) は、第１油圧装置(25)の駆動により、第１側壁(24)のプレス室内側への押圧により、対向壁側に押し固められる。この時、開口部遮蔽板(27)によって、投入口(21)が徐々に閉じられる。この間もコンベア(2) により、粉砕廃棄物(3) は投入され続けるが、ダクト(22)内部に保持され、廃棄物プレス手段(4) 外部にこぼれ出ることはない。また、ダクト(22)は投入口(21)に向けて下広がりに設けられているため、遮蔽板(27)上に溜まった廃棄物(3) がブリッジを形成して投入口上部に詰まることを防止する。
【００３５】
この第１プレス手段は第１側壁(24)の押圧面が第２プレス手段の第２側壁(32)に係る寸前まで押圧する。この状態まで対向壁面側にプレスされた廃棄物は、第２油圧装置(30)の駆動により更に直交する方向に押圧され、廃棄物キューブ(5) となるまで押圧される。更に、この廃棄物キューブ(5) は、廃棄物キューブ排出口(33)を覆う排出扉(34)が開き、第２プレス手段の後押しにより、プレス室(23)の外へ排出され、後続の梱包手段(7) の包装手段(71)と紐懸け手段(72)とにより、包装・紐懸けが行われる。
【００３６】
図３は図２で排出された廃棄物キューブの梱包過程を示す説明図である。プレス手段によって押し固められた廃棄物キューブ(5) は、後続の梱包手段(7) で包装廃棄物キューブ(8) として排出される。
【００３７】
梱包手段(7) は、包装手段(71)と紐懸け手段(72)とから構成されており、包装手段(71)では、図５に示される要領で防水シート(6) でキャラメル梱包される。更に、紐懸け手段(72)で紐懸け包装されて、包装廃棄物キューブ(8) として排出される。
【００３８】
図４は本廃棄物プレス装置の別の廃棄物プレス手段の構成を示す説明図であり、ａ図は側面の構成を示す説明図、ｂ図は平面の構成を示す説明図である。図に示す通り、本廃棄物プレス装置を構成するこの廃棄物プレス手段(4b)は、細かく粉砕された粉砕廃棄物(3) を投入する投入口(41)と、これを覆うダクト(42)と、投入口(41)の下方に備わった矩形のプレス室(43)とからなる。
【００３９】
プレス室(43)は四方を側壁で囲まれ、その第１側壁(44)には第１油圧装置(45)のラム(46)が連結されており、この油圧駆動により、第１側壁(44)はプレス室(43)内方向に押圧されてプレス手段として働く。このプレス手段のピストンとなる第１側壁(44)は、プレス室(43)の上壁に添った開口部遮蔽板(47)と下壁に沿った摺動板(48)とが備わって、断面コ字状を呈している。この開口部遮蔽板(47)は、第１油圧装置(45)の駆動に伴って室内方向に移動する際に、投入口(41)の開口部を遮蔽する。
【００４０】
このプレス室(43)を構成する壁面のうち、特にプレス手段によって押圧される対向壁に近い下壁部分に穿設孔(57)が複数穿設されている。これは、廃棄物に水分が含まれている場合に、プレス手段によって浸出するため、これをプレス室(43)外に導出するためのものである。
【００４１】
また、第１側壁(24)に対向する第２側壁(49)には、第２油圧装置(50)のラム(51)が連結されており、これがプレス挟持手段となる。プレス挟持手段は、第２側壁(49)を所定の位置で係止するための係止ピン(52)がプレス室(43)壁面及び第２側壁(49)を連通する貫通孔(53)に挿入されて、プレス手段の押圧の際には、対抗して押圧することができる。また、プレス挟持手段は、プレスされた廃棄物キューブの排出の際には、係止ピン(52)を解除してプレス手段と共に挟持したまま前記プレス室(43)外へ排出することができる。尚、プレス手段の押圧力と同じ力を第２油圧装置(50)で対抗して与えるのならば、係止ピン(52)は必ずしも必要ではない。
【００４２】
プレス手段とプレス挟持手段とで挟持されたままプレス室(43)外へ排出された廃棄物キューブの排出位置の上方には、挟持された廃棄物キューブを下方に押出す第３油圧装置（図示せず）のラムに連結された下方押出ピストン(54)（押出手段）が配置されており、そのピストン(54)の延長方向には廃棄物キューブの押出方向に入口開口を設けて配置された廃棄物キューブ保持枠(55)が設けられている。
【００４３】
この廃棄物キューブ保持枠(55)は前記入口開口の外に対向する一対の側壁がなく、コ字状の枠形状をなしている。この保持枠の側壁のない一方には対向する方向に廃棄物キューブを押出す側方押出ピストン(56)が設けられている。
【００４４】
次に廃棄物のプレスの動作を示す。図５は図４の廃棄物プレス手段の動作を示す説明図である。ａ図に示す通り、プレス室(43)内に投入された粉砕廃棄物(3) は、第１油圧装置(45)の駆動により、第１側壁(44)のプレス室内側への押圧により、第２側壁(49)側に押し固められる。この時、開口部遮蔽板(47)によって、投入口(41)が徐々に閉じられる。第２側壁(49)には係止ピン(52)が貫通孔(53)に挿入されているため、プレス手段の押圧にも対抗できる。
【００４５】
この間もコンベア(2) により、粉砕廃棄物(3) は投入され続けるが、ダクト(42)内部に保持され、廃棄物プレス手段(4) 外部にこぼれ出ることはない。また、図ｂに示す通り、ダクト(42)は投入口(41)に向けて下広がりに設けられているため、遮蔽板(47)上に溜まった廃棄物(3) がブリッジを形成して投入口上部に詰まることを防止する。
【００４６】
図ｂの状態まで対向壁面側にプレスされた廃棄物キューブは、係止ピン(52)が外され、図ｃに示す通り、第１側壁(44)と第２側壁(49)とで挟まれたままプレス室(43)に排出される。排出された際に、すぐに紐懸け装置（図示せず）によって一対の挟持面以外の周面に第１の紐(58)懸けが行われる。これにより、廃棄物キューブの膨張を抑えることができる。
【００４７】
第１の紐(58)懸けが行われた後、図ｄに示す通り、下方押出ピストン(54)によって、廃棄物キューブ保持枠(55)に押出される。この際、押出方向にクロスし尚且第１紐懸け手段で懸けられた第１の紐(58)にクロスするように張設された第２の紐(59)を捲込ながら廃棄物キューブ保持枠(55)に押出される。尚、下方押出ピストン(54)の押出の際には、プレス手段及びプレス挟持手段の挟持力を徐々に弱めて保持枠(55)への押出を良好にさせる。また、保持枠(55)の入口開口は外方に傾斜しているため、廃棄物キューブが多少膨張しても押出ピストン(54)によって内部に挿入される。
【００４８】
図ｅに示す通り、保持枠(55)内に挿入された廃棄物キューブの上部で第２の紐(59)を係止して第２の紐懸けを終える。その後、側方押出ピストン(56)によって保持枠(55)から排出された廃棄物キューブは後続の梱包手段(7) の包装手段(71)と紐懸け手段(72)とにより、包装・紐懸けが行われる。尚、この廃棄物キューブは既に紐懸けが終了しているため、後続の紐懸け手段(72)は省略してもかまわない。
【００４９】
図６は図２又は図４の本廃棄物プレス装置で最終的に排出される梱包廃棄物キューブの廃棄物処理場内での保管状態を示す説明図である。排出された包装廃棄物キューブ(8) は、図６に示される要領で、廃棄物処理場内に詰まれて、保管される。これにより、限られた廃棄物処理場のスペースを有効に利用することができる。しかも、廃棄物はしっかりと押し固められているため、長期に亙って体積の目減りが少なく、廃棄物処理場を埋立地として建造物を建てた場合にも地盤の沈下等の問題も少ない。また、梱包手段により廃棄物キューブを防水被覆材で梱包することにより、廃棄物による土中の汚染を防止することができる。
【００５０】
【発明の効果】
本発明は以上説明したとおり、廃棄物をキューブ状にプレスして排出する廃棄物プレス手段と、排出された廃棄物キューブを防水被覆材で梱包する梱包手段とを備えたものであるため、廃棄物を直方体又は立方体のキューブ状に押し固めるため、整列させて廃棄物処理場内に納めることができ、限られた廃棄物処理場のスペースを有効に利用することができる。しかも、廃棄物はしっかりと押し固められているため、長期に亙って体積の目減りが少なく、廃棄物処理場を埋立地として建造物を建てた場合にも地盤の沈下等の問題も少ない。また、梱包手段により廃棄物キューブを防水被覆材で梱包することにより、廃棄物による土中の汚染を防止することができる。
【００５１】
また、好ましい廃棄物キューブを防水被覆材で梱包する梱包手段としては、出された廃棄物キューブを防水シートで包装する包装手段を用いるのが、最も簡便で安価に行える。更に、防水シートで包まれた廃棄物キューブは、防水シートで包装された廃棄物キューブに紐懸けを行う紐懸け手段を更に備えたものが最も簡便で安価に行える。
【００５２】
また、廃棄物キューブの防水被覆材での梱包の前に廃棄物キューブに紐懸けを行う紐懸け手段を更に備えたものでは、プレス手段から排出された直後から膨張する廃棄物キューブであっても、梱包作業を容易にすることができる。
【００５３】
具体的な廃棄物プレス手段としては、廃棄物を投入する投入口を上壁に備えたプレス室と、このプレス室に投入された廃棄物をプレス室の一側壁をその対向壁面に向けて押圧することによりプレスするプレス手段とを備えたものが上げられる。これにより、例えば細かく粉砕された廃棄物は、良好に直方体又は立方体のキューブ状に押し固められて排出される。また、プレス手段は、一つだけでなく複数連続して配置して、より小さくプレスすることも可能である。
【００５４】
また、他の具体的な廃棄物プレス手段としては、廃棄物を投入する投入口を上壁に備えたプレス室と、このプレス室に投入された廃棄物をプレス室の一側壁をその対向壁面に向けて押圧することによりプレスするプレス手段と、前記プレス手段の対向側壁をプレス手段の押圧に対抗することができ尚且プレスされた廃棄物キューブの対向する一対の側面をプレス手段と共に挟持したまま前記プレス室外へ排出するプレス挟持手段とを備え、後続のプレス手段とプレス挟持手段とで挟持されている状態の廃棄物キューブに紐懸けを行う第１紐懸け手段を備えた梱包手段によって、廃棄物キューブの排出の最中又は直後に紐懸けを行うことにより、廃棄物キューブの膨張を防ぐ。
【００５５】
この場合の梱包手段に、更に、前記第１紐懸け手段により紐懸けされた廃棄物キューブをプレス手段とプレス挟持手段との挟持方向に直交する方向に押出す押出手段と、押出手段によって押し出される廃棄物キューブに前記紐懸けと交叉する紐懸けを行う第２紐懸け手段とを配備して、紐懸けを確実なものする。
【００５６】
また、この場合の第２紐懸け手段としては、例えば、前記押出手段によって押出される廃棄物キューブの押出方向に入口開口を設けて配置された廃棄物キューブ保持枠を備えたものが上げられる。この押出手段によって、前記押出方向にクロスし尚且第１紐懸け手段で懸けられた第１の紐にクロスするように準備された第２の紐を捲込ながら廃棄物キューブ保持枠に押出された廃棄物キューブに紐懸けを行うことにより、紐懸けを更に確実なものとする。
【００５７】
また、好ましい廃棄物プレス手段としては、細かく粉砕された廃棄物を投入する投入口の上部を覆うように配置され、投入口に向けて下広がりに設けられたダクトと、前記第１プレス手段を構成する一側壁に付設された第１プレス手段の押圧に伴い投入口の開口部を遮蔽しつつ廃棄物をプレスするプレス室の上壁に沿った開口部遮蔽板とを備えたものである。即ち、細かく粉砕された廃棄物をプレスしつつ投入口の開口部を遮蔽することができ、良好な廃棄物キューブに押し固めることができる。
【００５８】
また、遮蔽板による遮蔽時にもダクト内には細かく粉砕された廃棄物が投入され続け、第１プレス手段が定常位置に戻った際には、遮蔽板上に溜まった廃棄物がプレス室内に一度に投入されることとなり、連続的なプレス操作が可能となる。尚、この場合に、ダクトが投入口に向けて下広がりに設けられているため、遮蔽板上に溜まった廃棄物がブリッジを形成して投入口上部に詰まることを防止する。
【００５９】
更に、好ましい廃棄物プレス手段としては、プレス室を構成する壁面の一部に廃棄物から浸出する水分を室外に導出する穿設孔を備えたものでは、廃棄物のプレス時に廃棄物から浸出される水分が良好に廃棄物キューブから排出されるため、得られた廃棄物キューブは水分含量が少ないものとなる。尚、穿設孔は、プレス室内であれば如何なる位置に穿設されても良いが、水分の排出から考慮されると、第１プレス手段によって押圧される対向壁に近い下壁部分又は対向壁の下方に複数穿設されるのが好ましい等の効果を奏する。
という効果がある。
【図面の簡単な説明】
【図１】本発明の廃棄物プレス装置の一実施例の構成図である。
【図２】本廃棄物プレス装置のプレス手段の構成を示す説明図であり、ａ図は側面の構成を示す説明図、ｂ図は平面の構成を示す説明図である。
【図３】図２で排出された廃棄物キューブの梱包過程を示す説明図である。
【図４】本廃棄物プレス装置の別の廃棄物プレス手段の構成を示す説明図であり、ａ図は側面の構成を示す説明図、ｂ図は平面の構成を示す説明図である。
【図５】図５は図４の廃棄物プレス手段の動作を示す説明図であり、ａ図〜ｅ図は個々の動作中の要部の構成を示す説明図である。
【図６】本廃棄物プレス装置で最終的に排出される梱包廃棄物キューブの廃棄物処理場内での保管状態を示す説明図である。
【符号の説明】
(1) …廃棄物プレス装置、
(4) …ベルトコンベア、
(3) …廃棄物、
(4) …廃棄物プレス手段、
(5) …廃棄物キューブ、
(6) …防水シート、
(7) …梱包手段、
(8) …包装廃棄物キューブ、
(4a)…廃棄物プレス手段、
(21)…投入口、
(22)…ダクト、
(23)…プレス室、
(24)…第１側壁、
(25)…第１油圧装置、
(26)…ラム、
(27)…開口部遮蔽板、
(28)…摺動板、
(29)…側壁、
(30)…第２油圧装置、
(31)…ラム、
(32)…第２側壁、
(33)…廃棄物キューブ排出口、
(34)…排出扉、
(35)…穿設孔
(4b)…廃棄物プレス手段、
(41)…投入口、
(42)…ダクト、
(43)…プレス室、
(44)…第１側壁、
(45)…第１油圧装置、
(46)…ラム、
(47)…開口部遮蔽板、
(48)…摺動板、
(49)…第２側壁、
(50)…第２油圧装置、
(51)…ラム、
(52)…係止ピン、
(53)…貫通孔、
(54)…下方押出ピストン（押出手段）、
(55)…廃棄物キューブ保持枠、
(56)…側方押出ピストン、
(57)…穿設孔、
(58)…第１の紐、
(59)…第２の紐、
(71)…包装手段、
(72)…紐懸け手段
【図１】
0003802124.tif 000002
【図２】
0003802124.tif 000003
【図３】
0003802124.tif 000004
【図４】
0003802124.tif 000005
【図５】
0003802124.tif 000006
【図６】
0003802124.tif 000007